(57)【要約】【課題】特殊紙と同サイズの普通紙がセットされていない場合においても、普通紙で試しコピーを行うことを可能にし、より経済的な試しコピー機能を実現する。【解決手段】複数段の給紙トレイを有し、前記給紙トレイは、普通紙がセットされた普通紙トレイと、特殊紙がセットされた特殊紙トレイとを有し、前記普通紙トレイまたは前記特殊紙トレイを選択する手段と、各トレイにセットされた用紙の種類を設定する手段と、前記トレイ選択手段で選択した給紙トレイから送信される用紙に画像を印刷する手段とを有する画像形成装置において、印刷枚数が複数に設定されている場合は、まず１枚だけを印刷する試しコピー手段を有し、印刷画像をユーザが確認し、必要に応じて印刷設定を変更する手段とを有し、前記特殊紙トレイを選択して前記試しコピー手段を行う場合は、前記普通紙トレイから、選択した特殊サイズ用紙より大きなサイズの普通紙を選択し、試しコピー手段を実行する手段を有する。【選択図】　　　　図１
2004138673.tif 000002
【特許請求の範囲】
【請求項１】
複数段の給紙トレイを有し、
前記給紙トレイは、普通紙がセットされた普通紙トレイと、
特殊紙がセットされた特殊紙トレイとを有し、
前記普通紙トレイまたは前記特殊紙トレイを選択するトレイ選択手段と、
各トレイにセットされた用紙の種類を設定する用紙設定手段と、
前記トレイ選択手段で選択した給紙トレイから送信される用紙に画像を印刷する印刷手段とを有する画像形成装置において、
印刷枚数が複数に設定されている場合は、１枚だけを印刷する試しコピー手段を有し、
前記試しコピー手段による印刷画像をユーザが確認し、必要に応じて印刷設定を変更する設定変更手段とを有し、
前記特殊紙トレイを選択して前記試しコピー手段を行う場合は、前記普通紙トレイから、選択した特殊サイズ用紙より大きなサイズの普通紙を選択し、試しコピー手段を実行する第１の制御手段を有することを特徴とする画像形成装置。
【請求項２】
前記第１の制御手段は、選択した特殊サイズ用紙より大きなサイズの普通紙のうち最も小さな用紙を選び出して、前記試しコピー手段を実行する第２の制御手段を有することを特徴とする請求項１記載の画像形成装置。
【請求項３】
前記第１の制御手段または選択した特殊サイズ用紙を使用して前記試しコピー手段を実行する第３の制御手段を指定する制御指定手段を有することを特徴とする請求項１または２記載の画像形成装置。
【請求項４】
前記第１の制御手段において、
選択した特殊サイズ用紙と異なるサイズの普通紙に試しコピーを行う場合は、本来選択されている特殊用紙の用紙サイズの枠線を描画する第４の制御手段を有することを特徴とする請求項１から３のいずれか１項に記載の画像形成装置。
【請求項５】
前記印刷手段は、任意のサイズの用紙をトレイにセットして印刷する手段を有し、
前記画像形成装置は、セットした用紙のサイズを入力するサイズ入力手段を有し、
特殊紙を選択して前記試しコピー手段を実行する場合は、入力された用紙サイズに対応して普通紙の選択や枠線描画を行う第５の制御手段を有することを特徴とする請求項１から４のいずれか１項に記載の画像形成装置。
【請求項６】
前記給紙トレイに用紙サイズを検知するセンサを有し、
特殊紙を選択して前記試しコピー手段を実行する場合は、検知した用紙サイズに対応して、普通紙の選択や枠線描画を行う第６の制御手段を有することを特徴とする請求項１から５のいずれか１項に記載の画像形成装置。
【発明の詳細な説明】
【０００１】
【発明の属する技術分野】
本発明は、試しコピー機能を有する画像形成装置に関する。
【０００２】
【従来の技術】
従来より、画像形成装置において、複数枚コピーをする前に画像形成状態を目視で確認するために１枚だけコピーを行う試しコピー機能が知られている。この機能は、実験的に１枚を先にコピーすることにより、画像の形成具合、複写具合当を目視で確認することができるので、失敗コピーを少なくすることができる。
【０００３】
しかし、葉書やＯＨＰなどの高価な特殊紙を用いると、試しコピーでその用紙を使ってしまうので、不経済であるという問題があった。
【０００４】
上記問題を解決する技術として、特許文献１は、特殊紙と同サイズの普通紙で試しコピーを行う技術が開示されている。前記技術により、試しコピーで高価な特殊紙や普通紙が無駄になることを防止することができる。
【０００５】
【特許文献１】
特開平８−１０１５４２号公報
【０００６】
【発明が解決しようとする課題】
しかし、特許文献１の発明は、特殊紙と同サイズの普通紙がある場合に対応するものであって、特殊紙と同サイズの普通紙がセットされていない場合、またユーザが目的の印刷用紙で仕上がりを確認したい場合を考慮されていなかった。
【０００７】
本発明は、上記事情に鑑みてなされたものであり、特殊紙と同サイズの普通紙がセットされていない場合においても、特殊紙そのものを用いずに、普通紙で試しコピーを行うことを可能にし、より経済的な試しコピー機能を実現することを目的とする。
【０００８】
また、ユーザが目的の特殊紙で仕上がりを確認したい場合があるため、普通紙か目的の特殊紙かを選択可能とし、ユーザの要求に沿った試しコピーを実現することを目的とする。
【０００９】
また、コピーをする普通紙が、試しコピーをする用紙よりも大きい場合に、試しコピーをする用紙のサイズを示す枠線を印刷することで、本来用いる用紙と画像との位置関係まで正確に確認できることを目的とする。
【００１０】
【課題を解決するための手段】
上記目的を解決するために、請求項１記載の発明は、複数段の給紙トレイを有し、前記給紙トレイは、普通紙がセットされた普通紙トレイと、特殊紙がセットされた特殊紙トレイとを有し、前記普通紙トレイまたは前記特殊紙トレイを選択するトレイ選択手段と、各トレイにセットされた用紙の種類を設定する用紙設定手段と、前記トレイ選択手段で選択した給紙トレイから送信される用紙に画像を印刷する印刷手段とを有する画像形成装置において、印刷枚数が複数に設定されている場合は、１枚だけを印刷する試しコピー手段を有し、前記試しコピー手段による印刷画像をユーザが確認し、必要に応じて印刷設定を変更する設定変更手段とを有し、前記特殊紙トレイを選択して前記試しコピー手段を行う場合は、前記普通紙トレイから、選択した特殊サイズ用紙より大きなサイズの普通紙を選択し、試しコピー手段を実行する第１の制御手段を有することを特徴としている。
【００１１】
請求項２記載の発明は、請求項１記載の発明において、前記第１の制御手段は、選択した特殊サイズ用紙より大きなサイズの普通紙のうち最も小さな用紙を選び出して、前記試しコピー手段を実行する第２の制御手段を有することを特徴としている。
【００１２】
請求項３記載の発明は、請求項１または２記載の発明において、前記第１の制御手段または選択した特殊サイズ用紙を使用して前記試しコピー手段を実行する第３の制御手段を指定する制御指定手段を有することを特徴としている。
【００１３】
請求項４記載の発明は、請求項１から３のいずれか１項に記載の発明において、前記第１の制御手段において、選択した特殊サイズ用紙と異なるサイズの普通紙に試しコピーを行う場合は、本来選択されている特殊用紙の用紙サイズの枠線を描画する第４の制御手段を有することを特徴としている。
【００１４】
請求項５記載の発明は、請求項１から４のいずれか１項に記載の発明において、前記印刷手段は、任意のサイズの用紙をトレイにセットして印刷する手段を有し、前記画像形成装置は、セットした用紙のサイズを入力するサイズ入力手段を有し、特殊紙を選択して前記試しコピー手段を実行する場合は、入力された用紙サイズに対応して普通紙の選択や枠線描画を行う第５の制御手段を有することを特徴としている。
【００１５】
請求項６記載の発明は、請求項１から５のいずれか１項に記載の発明において、前記給紙トレイに用紙サイズを検知するセンサを有し、特殊紙を選択して前記試しコピー手段を実行する場合は、検知した用紙サイズに対応して、普通紙の選択や枠線描画を行う第６の制御手段を有することを特徴としている。
【００１６】
【発明の実施の形態】
以下、本発明の実施の形態を添付図面を参照しながら詳細に説明する。
【００１７】
＜実施例１＞
図１は、本発明の画像形成装置の構成例を示す図である。図１は、原稿載置台１と、原稿読み取り装置２と、機内排紙部３と、排紙ドア４と、給紙トレイ５、６と、原稿仕送り装置（ＡＤＦ）７と、操作部８と、手差し給紙ドア９とを有し構成されている。
【００１８】
ユーザーは、試しコピーを行う際に、まず使用する特殊紙を給紙トレイ５または６にセットし、特殊紙がセットしてあることを操作部８上で設定する。操作部８上で、特殊紙をセットしたトレイを印刷用紙として選択する。印刷の各種設定を行い、試しコピー機能を選択して、印刷開始をする。
【００１９】
図２は、印刷開始時の本発明の画像形成装置の動作を示すフローチャートである。印刷開始すると、まず、選択した特殊紙よりも主走査、副走査方向ともに大きな用紙を普通紙トレイから探す。選択した特殊紙よりも大きな普通紙をセットしていない場合は、選択ダイアログを表示して試しコピーを中止するか、選択した特殊紙を使用して試しコピーを行うかをユーザに選択させ、試しコピーの中断または実行を行う。本発明において、普通紙とは、白色上質紙を含み、特殊紙とは、葉書、ＯＨＰシート等を含むものとする。
【００２０】
図３は、印刷用紙として使用する特殊紙に葉書を用い、給紙トレイにセットされている、葉書のサイズより大きな普通紙トレイの中で、最も小さいものが、Ａ４サイズであった場合を示す図である。なお、この場合の特殊紙のサイズ（葉書のサイズ）ａ×ｂは既知の値である。
【００２１】
ユーザは、葉書をセットしたトレイを、印刷用紙として選択する。試しコピーを開始すると、画像形成装置は普通紙トレイの用紙サイズを葉書のサイズと比較し、試しコピー用紙としてＡ４普通紙トレイを選択する。試しコピー結果は、図４の様になり、Ａ４普通紙に原稿画像を印刷する。
【００２２】
＜実施例２＞
本実施例は、実施例１に加えて、ユーザが試しコピーを行うに当たり、試しコピーにおいて、特殊紙が選択された場合に、その特殊紙を試しコピー用紙に用いるか、または普通紙を試しコピー用紙に用いるかを選択する操作を加えて行う。
【００２３】
上記設定は、通常操作部８上で行っても良いし、ユーザプログラムモードや、サービスプログラムモードなどであらかじめ設定しておいても良い。本設定により普通紙の使用を選択した場合は、実施例１の動作が実行されるが、選択した特殊紙の使用を設定した場合には、普通紙を用いず、印刷用紙に設定した特殊紙をそのまま試しコピーに用いる従来通りの試しコピー機能を実行する。
【００２４】
＜実施例３＞
本実施例は、実施例１または２に加えて、印刷用紙として選択する特殊紙のサイズを矩形枠線で印刷する操作を加えて行う。図５は、実施例３の印刷結果を示す図である。印刷結果は、図５のようになり、Ａ４普通紙に原稿画像を印刷するとともに、印刷用紙として選択する特殊紙のサイズを矩形枠線で印刷する。
【００２５】
＜実施例４＞
本実施例は、実施例１から３のいずれかの実施例に、使用する特殊紙のサイズを、入力手段により入力する操作を加えて行う。
【００２６】
使用する特殊紙が、一般にサイズの決まっている用紙（葉書等）でない場合、画像形成装置に図３のサイズａ×ｂを前記入力操作によって入力し、その特殊紙のサイズを認識する。画像形成装置は、入力されたサイズに対応して、実施例１から３のいずれかの実施例に記載の試しコピー動作を行う。
【００２７】
＜実施例５＞
本実施例は、実施例１から３のいずれかの実施例に、画像形成装置は選択したサイズに対応して、実施例１から３のいずれかの実施例に記載の試しコピー動作を行う操作が加わる。
【００２８】
【発明の効果】
以上の説明から明らかなように、本発明によれば、特殊サイズ用紙で試しコピーを行った場合に、該当特殊サイズ用紙よりも大きな普通紙トレイの中から最も小さな用紙を選択して試しコピーを行うため、高価な特殊サイズ用紙などを用いている場合でも、試しコピーには普通紙を用いることができ、より経済的に試しコピー機能を実現することができる。
【００２９】
また、本発明によれば、特殊サイズ用紙を印刷用紙に選択した場合の試しコピーで、普通紙に試しコピーを行うか、選択された特殊サイズ用紙を用いて試しコピーを行うかを選択可能とするため、ユーザの要望によっては、従来通り特殊サイズ用紙を用いて試しコピーを行うことも可能となる。
【００３０】
また、本発明によれば、本来選択されている印刷用紙よりも大きな用紙に試しコピーをする時に、本来選択されている用紙のサイズを矩形枠で描画するため、画像と印刷用紙の位置関係が正確に確認でき、画像の位置がずれている、目的の用紙からはみ出している等の異常を発見しやすくなる。
【００３１】
また、本発明によれば、特殊紙サイズを手動入力することが可能なため、任意サイズの特殊紙で、経済的な試しコピー機能を実現することが可能となる。
【００３２】
また、本発明によれば、トレイにセットした特殊紙のサイズをセンサーで感知して、検知したサイズに合わせて試しコピー動作を行うことで、より操作手順を簡略化した試しコピー機能を実現することができる。
【図面の簡単な説明】
【図１】本発明の画像形成装置の構成例を示す図である。
【図２】印刷開始時の本発明の画像形成装置の動作を示すフローチャートである。
【図３】印刷用紙として使用する特殊紙に葉書を用い、給紙トレイにセットされている、葉書のサイズより大きな普通紙トレイの中で、最も小さいものが、Ａ４サイズであった場合を示す図である。
【図４】実施例１の試しコピー結果を表す図である。
【図５】実施例３の試しコピー結果を示す図である。
【符号の説明】
１　原稿載置台
２　原稿読み取り装置
３　機内排紙部
４　排紙ドア
５、６　給紙トレイ
７　原稿仕送り装置（ＡＤＦ）
８　操作部
９　手差し給紙ドア
【図１】
2004138673.tif 000003
【図２】
2004138673.tif 000004
【図３】
2004138673.tif 000005
【図４】
2004138673.tif 000006
【図５】
2004138673.tif 000007